(57)【特許請求の範囲】
【請求項１】
複数の入力映像ソースを多画面表示する機能を備えたテレビジョン放送受信機において、
多画面表示されうる入力映像ソースのフォーマットの組合せ毎に、受信機の製造者が適切であると思われる出力フォーマットを記憶した出力フォーマット決定用テーブル、
多画面表示すべき各入力映像ソースのフォーマットを識別する識別手段、
識別手段によって識別された各入力映像ソースのフォーマットの組み合わせと、出力フォーマット決定用テーブルとに基づいて、出力フォーマットを決定する手段、
上記各入力映像のフォーマットを決定した出力フォーマットに変換する手段、および
フォーマット変換後の上記各入力映像を多画面表示するために合成する手段、
を備えていることを特徴とするテレビジョン放送受信機。
【発明の詳細な説明】
【０００１】
【発明の属する技術分野】
この発明は、複数のフォーマットからなる映像ソースを多画面表示する際に、これらの映像ソースを最適化した組み合わせのフォーマットに変換して出力するテレビジョン放送受信機に関する。
【０００２】
【従来の技術】
デジタルテレビジョン放送では、映像信号のソースフォーマットとして必ずしも同じフォーマットの信号が送信されるとは限らない。ソースフォーマットの種類としては、たとえば、４８０Ｉフォーマット（有効走査線数４８０本、Interlaced scan:飛び越し走査方式）、１０８０Ｉフォーマット（有効走査線数１０８０本、飛び越し走査方式）、７２０Ｐフォーマット（有効走査線数７２０本、Progressive scan: 順次走査方式）等がある。
【０００３】
受信機では、映像信号の復号時に映像信号のフォーマットが判別され、その結果をもとに各フォーマットに応じた信号処理が施された後、要求される映像フォーマットへの変換が行なわれて出力される。
【０００４】
また、デジタルテレビジョン放送受信機においては、デジタルテレビジョン放送のように同一のメディアでの異なるフォーマットに対する柔軟な対応が要求される他、受信機に入力されるソースの中でメディアが異なることによって映像フォーマットが異なる場合に、それぞれのソースを１つの出力フォーマットに変換したり、同一のフォーマットに変換した後に画像合成したりするといったことが要求される。
【０００５】
デジタル放送受信機の入力ソースとしては、デジタルテレビジョン放送を除いてＮＴＳＣ放送、ＢＳアナログ放送、外部ビデオ入力、レディ端子入力などが想定される。
【０００６】
図４は、従来のデジタル放送受信機の概略構成を示している。
【０００７】
このデジタル放送受信機は、デジタル放送信号と、外部からの入力映像ソースのうちから選択した２つの入力映像ソースとからなる最大３つの映像ソースを多画面表示する機能を備えている。
【０００８】
デジタル放送信号はアンテナ１０１で受信され、チューナ部１０２で周波数ダウンコンバートされ、復調部１０３において復調される。復調部１０３によって復調されたデータは、ＴＳ（Transport stream) 分離復号部１０４に送られる。
【０００９】
ＴＳ分離復号部１０４は、入力されたデータを、映像ストリーム、音声ストリームおよびＳＩ（Service Information)ストリームに分離する。映像ストリームは、ビデオデコード部１０５に送られる。
【００１０】
ビデオデコード部１０５は、映像ストリームのシーケンスヘッダ情報を識別し、送られてきた映像ソースのフォーマットを認識する。第１フォーマット変換部１０６は、受信機に割り当てられた特定の出力フォーマットに映像信号を変換し、第２セレクタ１１２へ出力する。
【００１１】
ＮＴＳＣ放送、ＢＳアナログ放送、外部ビデオ入力、レディ端子入力などの外部からの入力映像ソースは、第１セレクタ１０８に送られる。第１セレクタ１０８は、これらの入力映像ソースのうちから、表示すべき１または２つの入力映像ソースを選択する。
【００１２】
第１セレクタ１０８によって選択されたソースは、第２フォーマット変換部１１０または第３フォーマット変換部１１１において受信機の割り当てられた特定の出力フォーマットに変換された後、第２セレクタ１１２へ出力される。
【００１３】
第２セレクタ１１２は、出力映像選択信号により指定された映像ソースを映像合成部１１５に送出する。映像合成部１１５は、送られてきた映像ソースを、合成処理する。映像合成部１１５によって合成された映像データは、映像出力処理部１１６を介して出力される。
【００１４】
従来は、視聴者がリモコンや外部スイッチなどのマンマシンインタフェースにより出力フォーマットを選択している。このような選択方法で選択された出力フォーマットは、合成される複数からなる映像ソースの組み合わせパターンに依存しない出力フォーマットとなる。
【００１５】
【発明が解決しようとする課題】
デジタル放送受信機の入力ソースとしていくつかの映像ソースが存在し、映像フォーマットとしてもいくつかの形式が存在する。例えば４８０Ｉ、４８０Ｐ、１０８０Ｉなどの映像フォーマットを考えた場合、４８０Ｉが最も低解像度で１０８０Ｉが最も高解像度であることが一般的に言われるが、必ずしも全てのソースを最上位の１０８０Ｉへ変換して表示する必要はない。
【００１６】
ソースが１０８０Ｉでないもの、例えば４８０Ｉや４８０Ｐの映像に上位解像度への変換処理を施せば、本来の画質と隔たりや変換による損失が生じることにもなりかねない。さらに、ソースのフォーマットに係わらず常に上位へのフォーマット変換部を動作させておかなければならないため、消費電力を過多に費やすことになる。
【００１７】
また、複数の形式により映像出力が可能な仕様になっており出力形式をユーザ自らが選択可能な受信機では、どの形式で出力するかをユーザが考慮して指定しなければならない。複数のソースを合成した画面表示を可能とする受信機においては、ソースをどのフォーマットに合わせ込むかについてユーザが指示しなければならない。
【００１８】
この発明は、複数のフォーマットからなる映像ソースを多画面表示する際に、これらの映像ソースを最適化した組み合わせのフォーマットに変換して出力することができるテレビジョン放送受信機に関する。
【００１９】
【課題を解決するための手段】
この発明によるテレビジョン放送受信機は、複数の入力映像ソースを多画面表示する機能を備えたテレビジョン放送受信機において、多画面表示されうる入力映像ソースのフォーマットの組合せ毎に、受信機の製造者が適切であると思われる出力フォーマットを記憶した出力フォーマット決定用テーブル、多画面表示すべき各入力映像ソースのフォーマットを識別する識別手段、識別手段によって識別された各入力映像ソースのフォーマットの組み合わせと、出力フォーマット決定用テーブルとに基づいて、出力フォーマットを決定する手段、上記各入力映像のフォーマットを決定した出力フォーマットに変換する手段、およびフォーマット変換後の上記各入力映像を多画面表示するために合成する手段を備えていることを特徴とする。
【００２０】
【発明の実施の形態】
以下、図１〜図３を参照して、この発明の実施の形態について説明する。
【００２１】
図１は、デジタル放送受信機の概略構成を示している。図１において、図４と同じものには、同じ符号を付してその説明を省略する。
【００２２】
図１のデジタル放送受信機では、第１セレクタ１０８の後段に、第１セレクタ１０８によって選択された外部入力映像のフォーマット情報を検出するためのソース検出部１０９が設けられている。
【００２３】
また、図１のデジタル放送受信機では、ソース検出部１０９によって検出された外部入力映像に対するフォーマット情報、ビデオデコード部１０５によって検出されたデジタル放送映像に対するフォーマット情報を記憶するための第２メモリ１１３が設けられている。
【００２４】
さらに、図１のデジタル放送受信機では、予め作成された入出力フォーマットに関する相対表を記憶している第１メモリ１１４が設けられている。
【００２５】
図２は、入出力フォーマットに関する相対表の内容の一例を示している。縦軸方向にデジタル放送の各フォーマットが配列され、横軸方向に外部入力ソースのフォーマットが配列されている。そして、出力映像ソースとして選択されたソースの組み合わせに対応するフォーマットが出力フォーマットとして決定される。
【００２６】
図３は、デジタル放送受信機の動作を示している。
【００２７】
受信機に対してユーザから映像出力指示（映像出力すべきソースを含んでいる）が入力された場合には（ステップ１）、制御部１０７はこの指示内容に応じた出力映像選択信号をそれぞれのセレクタ１０８、１１２に送出する（ステップ２）。これにより、第１セレクタ１０８および第２セレクタ１１２は、出力映像選択信号によって出力映像ソースとして選択された入力ソースを出力するように設定される（ステップ３）。
【００２８】
制御部１０７によって出力映像ソースとして選択された入力ソースにデジタル放送映像が含まれていなければ（ステップ４でＮＯ）、ビデオデコード部１０５をスリープさせてステップ８に移る（ステップ５）。
【００２９】
制御部１０７によって出力映像ソースとして選択された入力ソースにデジタル放送映像が含まれている場合には、ビデオデコード部１０５はシーケンスヘッダ情報を抽出し（ステップ６）、デジタル放送映像のフォーマットに関する情報を取得する。得られたフォーマット情報は第２メモリ１１３に格納される（ステップ７）。そして、ステップ８に移る。
【００３０】
ステップ８では、制御部１０７は、出力映像ソースとして選択された入力ソースに外部入力映像が含まれているか否かを判別する。出力映像ソースとして選択された入力ソースに外部入力映像が含まれていなければステップ１１に移行する。出力映像ソースとして選択された入力ソースに外部入力映像が含まれている場合には、ソース検出部１０９は、第１セレクタ１０８から出力されている入力ソースのフォーマット情報を検出する（ステップ９）。検出されたフォーマット情報は、第２メモリ１１３に格納される（ステップ１０）。
【００３１】
ソース検出部１０９は、ＮＴＳＣ放送、ＢＳアナログ放送、外部ビデオ入力に対しては、４８０Ｉフォーマットとして認識する。レディ端子入力については、識別信号ラインから送られてくるソースフォーマット情報に基づいて、そのフォーマットを検出する。
【００３２】
第２メモリ１１３に記憶されているフォーマット情報と、第１メモリ１１４に記憶されている入出力フォーマットに関する相対表とを比較することにより、出力フォーマットを決定する（ステップ１１）。
【００３３】
例えば、出力映像ソースとして、デジタル放送１０８０Ｉと、外部入力１０８０Ｉとが選択されている場合には、相対表においてこれらの組み合わせに対応する１０８０Ｉフォーマットが出力フォーマットとして決定される。
【００３４】
出力映像ソースとして、デジタル放送４８０Ｐと外部入力４８０Ｉとが選択されている場合には、相対表においてこれらの組み合わせに対応する４８０Ｐフォーマットが出力フォーマットとして決定される。
【００３５】
出力映像ソースとして、デジタル放送４８０Ｉのみが選択されている場合には、相対表においてデジタル放送４８０Ｉに対応する９６０Ｉフォーマットが出力フォーマットとして決定される。
【００３６】
この例では、出力映像ソースとして選択された入力ソースの組み合わせの中で最上位の映像フォーマットにあわせこむ相対関係をとっている。これはあくまで一つの例であり、受信機や周辺環境に応じて最適と思われれる相対関係に設定すればよい。
【００３７】
出力フォーマットが決定されると、制御部１０７は出力フォーマット切替信号を第１フォーマット変換部１０６、第２フォーマット変換部１１０、第３フォーマット変換部１１１のうち、出力映像ソースとして選択された入力ソースが入力されるフォーマット変換部へ送出する（ステップ１２）。
【００３８】
デジタル放送映像が出力映像ソースとして選択されている場合には（ステップ１３）、第１フォーマット変換部１０６によってデジタル放送信号が決定された出力フォーマットに変換される（ステップ１４）。
【００３９】
外部入力映像が出力映像ソースとして選択されており（ステップ１５）、かつ外部入力信号を１系統のみ出力する場合は（ステップ１６）、第２フォーマット変換部１１０によって、外部入力信号が決定された出力フォーマットに変換される（ステップ１７）。
【００４０】
外部入力信号が出力映像ソースとして選択されており（ステップ１５）、かつ外部入力信号を２系統出力する場合は（ステップ１６）、第２フォーマット変換部１１０によって一方の外部入力信号が決定された出力フォーマットに変換されるとともに、第３フォーマット変換部１１１によって他方の外部入力信号が決定された出力フォーマットに変換される（ステップ１８）。
【００４１】
各フォーマット変換部から出力された映像信号は、第２セレクタ１１２を介して合成処理部１１５に送出されて合成された後、映像出力処理部１１６から映像出力される（ステップ１９）。
【００４２】
上記実施の形態によれば、デジタル放送受信機の入力ソースとして複数の映像フォーマットが存在する場合でも、フォーマットの組み合わせを最適化することにより、本来の画質との隔たりや変換による損失を、必要最小限に低減することができる。さらに、出力するフォーマットに応じて最低限のフォーマット変換部を動作しておけばよいため、消費電力の低減に繋がる。
【００４３】
例えば４８０Ｉ、４８０Ｐ、１０８０Ｉのフォーマットをそれぞれ有する３つの入力ソースが出力映像ソースとして選択された場合には、４８０Ｉが最も低解像度で１０８０Ｉが最も高解像度であるが、相対表の内容によっては、最上位の１０８０Ｉが出力フォーマットとして選択されないようにすることもできる。
【００４４】
また、上記実施の形態では、出力フォーマットが自動的に決定されるので、ユーザが出力フォーマットを決定する必要がない。このため、ユーザは、映像フォーマットに対する知識を持つ必要がなくてもよく、ユーザの負担が軽減される。
【００４５】
なお、入出力フォーマットに関する相対表の内容をユーザが変更できるようにすることが好ましい。
【００４６】
【発明の効果】
この発明によれば、複数のフォーマットからなる映像ソースを多画面表示する際に、これらの映像ソースを最適化した組み合わせのフォーマットに変換して出力することができるようになる。
【図面の簡単な説明】
【図１】テレビジョン放送受信機の概略構成を示すブロック図である。
【図２】入出力フォーマットに関する相対表の一例を示す模式図である。
【図３】図１のテレビジョン放送受信機の動作を示すフローチャートである。
【図４】従来テレビジョン放送受信機の概略構成を示すブロック図である。
【符号の説明】
１０１  アンテナ
１０２  チューナ部
１０３  復調部
１０４  ＴＳ分離復号部
１０５  ビデオデコード部
１０６  第１フォーマット変換部
１０７  制御部
１０８  第１セレクタ
１０９  ソース検出部
１１０  第２フォーマット変換部
１１１  第３フォーマット変換部
１１２  第２セレクタ
１１３  第２メモリ（検出情報記憶部）
１１４  第１メモリ（フォーマット相対表記憶部）
１１５  映像合成部
１１６  映像出力処理部
【図１】
0003789716.tif 000002
【図２】
0003789716.tif 000003
【図３】
0003789716.tif 000004
【図４】
0003789716.tif 000005